(57)【特許請求の範囲】
【請求項１】
対をなす挟持片によって紙葉類の縁部を挟持するものであって、
各挟持片は、互いに噛み合う複数の歯を備えた基端部と、当該基端部同士の噛み合い位置が変化することによって互いに接離する挟持部とを具備し、これらの挟持片間に挟持力を導入するための操作手段を関連づけてなることを特徴とする紙葉類の挟持具。
【請求項２】
操作手段が、挟持片同士の作動を妨げない状態と、挟持片同士の作動を規制する状態とをとり得るようにしている請求項１記載の紙葉類の挟持具。
【請求項３】
操作手段が、ねじ軸と、このねじ軸に螺合するグリップとを具備し、グリップの螺進退位置を変化させることによって、挟持片同士の作動範囲を挟持部同士が接近する方向に徐々に狭めていくようにしている請求項２記載の紙葉類の挟持具。
【請求項４】
挟持片間に、挟持部同士を離反させる方向に付勢するキックバネを介在させている請求項３記載の紙葉類の挟持具。
【請求項５】
請求項１〜４の何れかに記載の挟持具の端部をハンガー本体のフレーム間に架け渡して新聞等の紙葉類を懸吊支持するようにしていることを特徴とするペーパーハンガー。
【発明の詳細な説明】
【技術分野】
【０００１】
本発明は、新聞や図面等の紙葉類を束ねた状態に保持するための挟持具及びこれを利用したペーパーハンガーに関するものである。
【背景技術】
【０００２】
この種の挟持具を備えたペーパーハンガーとして、例えば特許文献１に示されるように、コ字形をなすフレームの対向片の一方にねじ軸を進退可能に螺合させ、このねじ軸の内方端に設けた挟持片と他方の対向片との間に新聞等の紙葉類を挟持するようにしたものが知られている。
【０００３】
また、この種の挟持具を備えたペーパーハンガーとして、例えば特許文献２に示されるように、一対の挟持片の間を開閉可能に枢着し、その挟持片をコ字形をなす弾性体から押圧ボタンで押し出すことにより拡開させ、押圧ボタンへの操作を解除した際に弾性体の弾性で挟持片間に挟持力を導入しつつ紙葉類を締め付けるようにしたものが知られている。
【０００４】
さらに、この種の挟持具を備えたバインダーとして、例えば特許文献３に示されるように、一対の挟持片の基端部を回動可能に枢着し、この基端部の外周に設けたウォームギヤ間にウォームを係合させて、ウォームをつまみで回転させることにより、挟持片の先端部間を接離動作させ、挟持片間に紙葉類を挟持するようにしたものが知られている。
【特許文献１】実公昭６２−３７７５２号公報
【特許文献２】特開平８−３２４１７４号公報
【特許文献３】実公昭５２−１９６２７号公報
【発明の開示】
【発明が解決しようとする課題】
【０００５】
ところが、特許文献１のような構造であると、紙葉類は挟持片の存在する部位において部分的にフレームの対向片との間に挟持されるだけであり、ねじ軸の存在しない部位では挟持されないので、紙葉類を広げて読む際に挟んでいる部分が引っ張られると、紙葉類が動き易く、外れ易いという不安定さがある。また、操作手段の操作位置と挟持片の作動位置とが常に連動しており、挟持片を完全に締め込まないと紙葉類を挟み込めないので、操作途中に紙葉類がずれ易く、やり直しを強いられる事も多いという問題もある。
【０００６】
また、特許文献２の構造も、紙葉類は挟持片の存在する部位において部分的に挟持されるだけであり、挟持片の存在しない部位では挟持されないので、このものも、紙葉類を広げて読む際に挟んでいる部分が引っ張られると、紙葉類が動き易く、外れ易いという不安定さがある。また、押圧ボタンと挟持片が連動しているため押圧ボタンを解除しないと紙葉類を挟み込めない点も同様で、操作途中に紙葉類がずれ易く、やり直しを強いられる不具合も多い。さらに、一対の挟持片を枢着する構造だと、厚みのある紙葉類を挟持する際に開き角度が大きく変化するので、紙葉類への挟持方向が不適切になり易いという問題もある。
【０００７】
さらに、特許文献３の構造であると、ウォームはウォームギヤが存在する部分で当該ウォームギヤと部分的に接触するのみであり、それ以外の部分は単に遊んでいるに過ぎないため、上記と同様、ウォームの存在しない部位では一対の挟持片の間を押し開くことができ、紙葉類を広げて読む際に挟んでいる部分が引っ張られると、紙葉類が動き易く、外れ易いという難点がある。また、ウォームと挟持片が連動しており、ウォームで挟持片を完全に締め込まないと紙葉類を挟み込めない点も同様であり、操作途中に紙葉類がずれ易く、やり直しを強いられる事が多いという不便さも伴うものである。
【０００８】
本発明は、このような課題に着目してなされたものであって、紙葉類をより安定確実に挟持することができ、操作性も向上した挟持具及びペーパーハンガーを提供することを目的としている。
【課題を解決するための手段】
【０００９】
本発明は、かかる目的を達成するために、次のような手段を講じたものである。
【００１０】
すなわち、本発明の挟持具は、対をなす挟持片によって紙葉類の縁部を挟持するにあたり、各挟持片に、互いに噛み合う複数の歯を備えた基端部と、当該基端部同士の噛み合い位置が変化することによって互いに接離する挟持部とを具備し、これらの挟持片間に挟持力を導入するための操作手段を関連づけてなることを特徴とする。
【００１１】
このように構成すると、基端部同士を噛合させていることから、噛み合い位置が変化しない限り対をなす挟持片の相対的な位置ずれは生じ難いものとなり、その噛み合いも、挟持片の長手方向に沿った広い領域においてなされ、かつ基端部同士は直接噛み合うため、単に対面する挟持片と対向片の間をねじにより締め込んだり、長手方向の一部で対をなす挟持片を枢着して配置したり、ウォーム機構のように挟持片同士を部分的かつ間接的に噛み合わせる場合に比べて、紙葉類に対する挟持状態を安定、強固なものにすることができる。さらに、本発明によると歯車の中心が各挟持片の回動支点となるため、一対の挟持片を枢着する場合に比べて厚みのある紙葉類を挟持する際に開き角度が不当に大きくなることがなく、紙葉類への挟持方向を適正に保つことができる。
【００１２】
操作性の向上を図るためには、操作手段を、挟持片同士の作動を妨げない状態と、挟持片同士の作動を規制する状態とをとり得るようにしておくことが望ましい。
【００１３】
具体的な実施の態様としては、操作手段が、ねじ軸と、このねじ軸に螺合するグリップとを具備し、グリップの螺進退位置を変化させることによって、挟持片同士の作動範囲を挟持部同士が接近する方向に徐々に狭めていくように構成されるものが挙げられる。
【００１４】
特に、挟持片間に、挟持部同士を離反させる方向に付勢するキックバネを介在させているものが好適である。
【００１５】
このように挟持状態を適正化した挟持具を用い、当該端部をハンガー本体のフレーム間に架け渡して新聞等の紙葉類を懸吊支持してペーパーハンガーを構成すれば、挟持具に紙葉類が外れる方向の負荷が常時作用しても、挟持状態を適正に維持することができる。
【発明の効果】
【００１６】
本発明は、以上のように、挟持片の基端部を噛合させることによって紙葉類をより安定確実に挟持することができ、紙葉類を懸吊支持したり見開いたりしても脱落やずれが生じ難い、使い勝手に優れた挟持具及びペーパーハンガーを提供することが可能となる。
【発明を実施するための最良の形態】
【００１７】
以下、本発明の一実施形態を、図面を参照して説明する。
【００１８】
図１は本発明の挟持具１をハンガー本体２に係止させて構成されるペーパーハンガー３を示し、図２〜図７はその挟持具１を示している。
【００１９】
ハンガー本体２は、床に立設される左右の支柱２１と、これらの支柱２１の上端から前下方に傾斜して延出されるフレーム２２とを具備するもので、フレーム２２の上面の間欠位置に、挟持具１の端部を架け渡すための係止片２３が突設されている。
【００２０】
これに対して挟持具１は、図４及び図５等に示すように、対をなす挟持片４、５と、これらの挟持片４、５を離反し得ないように関連づけて支持する支持片６と、挟持片４、５間に挟持力を導入するための操作手段７とを具備している。
【００２１】
各挟持片４、５は、押し出し成形によって構成されるもので、基端部４ａ、５ａに複数の歯４１、５１を部分歯車状に配列して噛合部４ｂ、５ｂを形成するとともに、その噛合部４ｂ、５ｂの隣接位置に、当該噛合部４ｂ、５ｂと同一の中心ｍ、ｎ回りに部分円弧状をなす被支持部４２、５２を形成している。そして、この基端部４ａ、５ａ同士の噛み合い位置が変化した際に互いに接離するように、基端部４ａ、５ａから壁部４ｃ、５ｃを介して挟持部４ｄ、５ｄを一体的に連設している。両挟持片４、５の基端部４ａ、５ａを構成する歯４１，５１の位相は、互いに噛み合うように半ピッチずらしてあり、それ以外の基端部４ａ、５ａを構成する被支持部４２、５２の形状を始めとして、やや外側に膨出した壁部４ｃ、５ｃの形状、内側に釣針状に屈曲した挟持部４ｄ、５ｄの形状等は、それぞれ互いに対称をなす。両挟持片４、５の基端部４ａ、５ａ近傍に設けた後記のキックバネ８を架設するための装着片４３、５３の形状も同様である。但し、一方の挟持片４ａには、壁部４ｃの内面に一対の突片４４、４５が互いに相寄る方向に屈曲して突設され、その突片４４、４５間を後述するねじ軸７１の取付部４６としているのに対して、他方の挟持片５には、長手方向の２箇所に前記ねじ軸７１を挿通させる挿通孔５４が穿設されている。
【００２２】
支持片６は、両挟持片４、５の基端部４ａ、５ａ同士を噛合させた状態でそれらの被支持部４２、５２に外接してこれを抱持し得る部分長円状をなすもので、その横断面における両端６ａ、６ｂは前記中心ｍ、ｎと同心上において湾曲する部分円弧をなし、被支持部４２、５２を回転可能に支持する。
【００２３】
操作手段７は、前記取付部４６に頭部７１ａを長手方向に沿って挿入し軸部７１ｂを当該長手方向と直交する方向に延出させてなるねじ軸７１と、このねじ軸７１を前記挿通孔５４に挿通させた位置で当該ねじ軸７１の軸部７１ｂに螺合するナット部７２ａを内設したグリップ７２とを具備する。すなわち、挟持片４、５は互いに挟持部４ｄ、５ｄ間を当接ないし近接させる図７の位置と、挟持部４ｄ、５ｄ間を大きく拡開させる図６の位置との間で開閉可能とされている。
【００２４】
そして、前述した装着片４３、５３の内側に形成される装着部４３ａ、５３ａにキックバネ８の両端８ａ、８ｂを装着している。このキックバネ８は、逆Ｗ形をなし、挟持部４ｄ、５ｄ同士を離反させる方向に挟持片４、５を付勢する弾性力を蓄勢されている。すなわち、挟持片４、５に外力を加えなければ、キックバネ８によって挟持片５が図６のようにグリップ７２の内方端に当接する位置に挟持片４、５の作動範囲が規制され、操作手段７のグリップ７２の螺合位置を変化させると、挟持片４、５同士の作動範囲を例えば図6→図5のように挟持部４ｄ、５ｄ同士が接近する方向に徐々に狭めていくことができるものである。
【００２５】
なお、前記支持片６の端部６ｘは、図２及び図３に示すように挟持片４、５の端部４ｘ、５ｘよりも長手方向に延出する長尺なものにしてあり、その端部６ｘに、挟持片４、５の作動を妨げず且つ挟持片４、５から側方にはみ出した紙葉類と干渉しないようにエンドキャップ９を装着している。このエンドキャップ９の外周形状と前記フレーム２２の係止片２３の形状とは、挟持具１の挟持片４、５間に形成される開口Ａを下に向けて当該挟持具１を架設するために必要な関係にあるように設定してある。
【００２６】
この挟持具１の組立手順は、一方の挟持片４の取付部４６に長手方向に沿ってねじ軸７１の頭部７１ａをスライド挿入し、他方の挟持片５の挿通孔５４にねじ軸７１の軸部７１ｂを挿通した後、両挟持片４、５の基端部４ａ、５ａ同士を噛合させて、それらの被支持部４２、５２に外接させるように支持部６を長手方向に沿ってスライド係合させる。その前後にキックバネ８を装着しておく。そして、支持片６の両端部６ｘにキャップ９を装着し、ねじ軸７１の軸部７１ｂにグリップ７２を螺合させて、組立を完了する。
【００２７】
また、この挟持具１の使用方法は、先ずグリップ７２を図６のように緩め、キックバネ８により挟持部４ｄ、５ｄ間を適度に離反拡開させた状態で、開口Ａ内に新聞等の紙葉類Ｓの縁部を差し込む。次に、指等で挟持片４、５を押圧して図７のように挟持部４ｄ、５ｄ間に紙葉類Ｓを挟持させる。そして、更にグリップ７２をねじ込み、同図中想像線で示すようにグリップ７２の内方端７ｘが一方の挟持片５の壁部５ｃと強く当接するまで締着する。この間の作業は、一方の支持片４を下に寝かせ他方の支持片５を上にした状態で行なうことができる。これにより、紙葉類Ｓは挟持具１の挟持片４，５間に挟持される。そして、この挟持具１２の両端に設けたキャップ９を図1に示すハンガー本体２のフレーム２２、２２間に架設すれば、紙葉類Ｓの懸吊支持状態を得ることができる。
【００２８】
以上のように、本実施形態の挟持具１は、対をなす挟持片４、５によって紙葉類Ｓの縁部を挟持するにあたり、各挟持片４、５に、互いに噛み合う複数の歯４１、５１を備えた基端部４ａ、５ａと、当該基端部４ａ、５ａ同士の噛み合い位置が変化することによって互いに接離する挟持部４ｄ、５ｄと、これらの挟持片４、５間に挟持力を導入するための操作手段８とを具備して構成されるものである。
【００２９】
このように、基端部４ａ、５ａ同士を噛合させることによって、噛み合い位置が変化しない限り対をなす挟持片４、５の相対的な位置ずれが生じ難いものとなり、その噛み合いも、歯４１、５１が押し出し成形によって連続して形成されているため挟持片４、５の長手方向に沿った広い領域においてなされ、かつ基端部４ａ、５ａ同士は直接噛み合うため、単に対面する挟持片と対向片の間を部分的にねじにより締め込んだり、長手方向の一部に対をなす挟持片を枢着して配置したり、ウォーム機構のように部分的かつ間接的に噛み合わせる場合等に比べて、紙葉類Ｓに対する挟持状態を安定、強固なものにすることができる。さらに、噛合部４ｂ、５ｂの中心ｍ、ｎが各挟持片４、５の回動支点となるため、一対の挟持片を枢着する場合に比べて厚みのある紙葉類Ｓを挟持する際にも開き角度θ（図6参照）が不当に大きくなることがなく、紙葉類Ｓへの挟持方向を適正に保つことができる。
【００３０】
特に、操作手段７が、挟持片４、５同士の作動範囲を規制しつつ、その作動範囲内では挟持片４、５を開閉自在としていることから、先ず挟持片４、５を閉じる方向に押圧して挟持部４ｄ、５ｄ間に紙葉類Ｓを仮挟持させておき、しかる後に、操作手段７を操作して挟持片４、５同士の作動範囲を徐々に狭め、挟持部４ｄ、５ｄ間を本締めして安定した挟持力を導入することができるので、常に操作手段が挟持片と連動して作動するものに比べて、操作途中で紙葉類Ｓがずれてしまう事態を有効に防止することができる。
【００３１】
具体的には、操作手段７が、ねじ軸７１と、このねじ軸７１に螺合するグリップ７２とを具備し、グリップ７２の螺進退位置を変化させることによって、挟持片４、５同士の作動範囲を挟持部４ｄ、５ｄ同士が接近する方向に徐々に狭めていくようにしているので、簡単な構造によって上述した仮挟持機能及び本締めの機能を有効に実現でき、操作も確実に行い得るものとなる。特に、挟持片４、５の基端部４ａ、５ａが長手方向に亘って噛み合うため、一部にねじ軸７１とグリップ７２を通じて挟持力を導入しても、その力を長手方向全域に亘って有効に伝えることができる。
【００３２】
その際、挟持片４、５間に、挟持部４ｄ、５ｄ同士を離反させる方向に付勢するキックバネ８を介在させているので、キックバネ８によってグリップ７２を通じた挟持状態の解除操作を適切に行わせることができる。特に、上述したように挟持片４、５の基端部４ａ、５ａ同士が長手方向に亘って噛み合っているため、一部にキックバネ８による付勢力を導入しても、その力を長手方向全域に亘って有効に伝えることができる。
【００３３】
そして、本実施形態はこのような挟持具１の端部をハンガー本体２のフレーム２２、２２間に架け渡して新聞等の紙葉類Ｓを懸吊支持するペーパーハンガー３を構成すれば、挟持具１に紙葉類Ｓが外れる方向の荷重が常時作用しても、挟持状態を適正に維持することが可能となる。
【００３４】
なお、各部の具体的な構成は、上述した実施形態のみに限定されるものではなく、本発明の趣旨を逸脱しない範囲で種々変形が可能である。
【図面の簡単な説明】
【００３５】
【図１】本発明の一実施形態に係るペーパーハンガーを示す斜視図。
【図２】同ペーパーハンガーを構成する挟持具の斜視図。
【図３】同挟持具のグリップを省略した正面図。
【図４】同挟持具の分解端面図。
【図５】同挟持具の横断面図。
【図６】図５に対応した作用説明図。
【図７】図５及び図６に対応した作用説明図。
【符号の説明】
【００３６】
１…挟持具
２…ハンガー本体
３…ペーパーハンガー
４…挟持片
４ａ…基端部
４ｄ…挟持部
５…挟持片
５ａ…基端部
５ｄ…挟持部
７…操作手段
８…キックバネ
２２…フレーム
４１…歯
５１…歯
７１…ねじ軸
７２…グリップ
Ｓ…紙葉類
【図１】
0004761047.tif 000002
【図２】
0004761047.tif 000003
【図３】
0004761047.tif 000004
【図４】
0004761047.tif 000005
【図５】
0004761047.tif 000006
【図６】
0004761047.tif 000007
【図７】
0004761047.tif 000008